(57)【特許請求の範囲】
【請求項１】
複数の渦巻き状の第１の導体と、複数の渦巻き状の第２の導体と、前記第１の導体と第２の導体の一方もしくは両方を備えた複数の絶縁体層と、前記複数の第１の導体からなる一つのインダクタ導体と、前記複数の第２の導体からなる一つのコンデンサ導体と、前記インダクタ導体の両端部に接続された第１、第２の引出電極と、前記コンデンサ導体の一端部に接続された第３の引出電極とを備え、前記複数の絶縁体層は、その中に前記第１の導体と第２の導体の両方を同一面に備えた絶縁体層を複数有し、かつこの複数の絶縁体層は、それぞれ第２の導体を第１の導体に沿うように第１の導体の線間に形成し、さらに前記インダクタ導体を形成する第１の導体の一部と、前記第１の導体を設けた絶縁体層とは異なる絶縁体層に設けた前記コンデンサ導体を形成する第２の導体の一部とが、上面視にて重なるようにし、前記第３の引出電極を、前記第１の導体と第２の導体の一方もしくは両方を備えた絶縁体層とは異なる別個の絶縁体層に設けるとともに、前記インダクタ導体を形成する第１の導体と対向して渦巻き状に形成するようにしたノイズフィルタ。
【発明の詳細な説明】
【技術分野】
【０００１】
本発明は小型デジタル機器やＯＡ機器、携帯端末等の電子機器に広く用いられているノイズフィルタに関するものである。
【背景技術】
【０００２】
従来のこの種のノイズフィルタは、図７に示すように、フェライト等の磁性体層１に形成されたコイル導体２を複数積層してなるインダクタ導体と、誘電体層３に形成されたコンデンサ導体４とを独立した状態で積層することにより構成していた。この構成により、従来のノイズフィルタは、インダクタ導体と磁性体層１とからなるインダクタ部と、誘電体層３とコンデンサ導体４とからなるコンデンサ部をそれぞれ備えた構成となっていた。
【０００３】
なお、この出願の発明に関する先行技術文献情報としては、例えば、特許文献１が知られている。
【特許文献１】実公昭６０−１７８９５号公報
【発明の開示】
【発明が解決しようとする課題】
【０００４】
上記した従来のノイズフィルタは、インダクタ導体とコンデンサ導体４をそれぞれ独立して形成する集中定数型のノイズフィルタの構造をしているため、インダクタ部とコンデンサ部との共振周波数帯域のみのノイズしか除去できず、その結果、広い周波数帯域でノイズを除去することが困難であるという課題を有していた。
【０００５】
本発明は上記従来の課題を解決するもので、広い周波数帯域でノイズを除去することができるノイズフィルタを提供することを目的とするものである。
【課題を解決するための手段】
【０００６】
上記目的を達成するために、本発明は以下の構成を有するものである。
【０００７】
本発明の請求項１に記載の発明は、複数の渦巻き状の第１の導体と、複数の渦巻き状の第２の導体と、前記第１の導体と第２の導体の一方もしくは両方を備えた複数の絶縁体層と、前記複数の第１の導体からなる一つのインダクタ導体と、前記複数の第２の導体からなる一つのコンデンサ導体と、前記インダクタ導体の両端部に接続された第１、第２の引出電極と、前記コンデンサ導体の一端部に接続された第３の引出電極とを備え、前記複数の絶縁体層は、その中に前記第１の導体と第２の導体の両方を同一面に備えた絶縁体層を複数有し、かつこの複数の絶縁体層は、それぞれ第２の導体を第１の導体に沿うように第１の導体の線間に形成し、さらに前記インダクタ導体を形成する第１の導体の一部と、前記第１の導体を設けた絶縁体層とは異なる絶縁体層に設けた前記コンデンサ導体を形成する第２の導体の一部とが、上面視にて重なるようにし、前記第３の引出電極を、前記第１の導体と第２の導体の一方もしくは両方を備えた絶縁体層とは異なる別個の絶縁体層に設けるとともに、前記インダクタ導体を形成する第１の導体と対向して渦巻き状に形成するようにしたもので、この構成によれば、インダクタ導体を形成する第１の導体の大部分の横にコンデンサ導体を形成する第２の導体が位置することになり、そしてこの配置関係は複数の絶縁体層に形成されているため、第１の導体と第２の導体の線間の静電容量を分布定数的に得ることができ、さらに、インダクタ導体とコンデンサ導体との間の静電容量を、上下方向に設けられた第１、第２の導体間においても分布定数的に得ることができるため、広い周波数帯域でノイズを除去することができる。また、第１、第２の導体によって第３の引出電極の形成位置が制限されることがないため、第３の引出電極を形成し易くなり、そして、インダクタ導体とコンデンサ導体との間の静電容量は、第１の導体と第３の引出電極との間においても静電容量を発生させることができるため、広い周波数帯域でノイズを除去することができるという作用効果が得られるものである。
【発明の効果】
【００１０】
以上のように本発明のノイズフィルタは、複数の渦巻き状の第１の導体と、複数の渦巻き状の第２の導体と、前記第１の導体と第２の導体の一方もしくは両方を備えた複数の絶縁体層と、前記複数の第１の導体からなる一つのインダクタ導体と、前記複数の第２の導体からなる一つのコンデンサ導体と、前記インダクタ導体の両端部に接続された第１、第２の引出電極と、前記コンデンサ導体の一端部に接続された第３の引出電極とを備え、前記複数の絶縁体層は、その中に前記第１の導体と第２の導体の両方を同一面に備えた絶縁体層を複数有し、かつこの複数の絶縁体層は、それぞれ第２の導体を第１の導体に沿うように第１の導体の線間に形成し、さらに前記インダクタ導体を形成する第１の導体の一部と、前記第１の導体を設けた絶縁体層とは異なる絶縁体層に設けた前記コンデンサ導体を形成する第２の導体の一部とが、上面視にて重なるようにし、前記第３の引出電極を、前記第１の導体と第２の導体の一方もしくは両方を備えた絶縁体層とは異なる別個の絶縁体層に設けるとともに、前記インダクタ導体を形成する第１の導体と対向して渦巻き状に形成するようにしているため、インダクタ導体を形成する第１の導体の大部分の横にコンデンサ導体を形成する第２の導体は位置することになり、そしてこの配置関係は複数の絶縁体層に形成されているため、第１の導体と第２の導体の線間の静電容量を分布定数的に得ることができ、これにより、広い周波数帯域でノイズを除去することができるという優れた効果を奏するものである。
【発明を実施するための最良の形態】
【００１１】
（実施の形態１）
以下、実施の形態１を用いて、本発明の特に請求項１に記載の発明について説明する。
【００１２】
図１は本発明の実施の形態１におけるノイズフィルタを示す分解斜視図、図２は同ノイズフィルタを示す斜視図である。
【００１３】
図１、図２に示すように、本発明の実施の形態１におけるノイズフィルタは、複数の渦巻き状の第１の導体１１ａ，１１ｂと、複数の渦巻き状の第２の導体１２ａ，１２ｂと、前記第１の導体１１ａ，１１ｂと第２の導体１２ａ，１２ｂの両方を備えた複数の絶縁体層１３と、前記複数の第１の導体１１ａ，１１ｂからなる一つのインダクタ導体１４と、前記複数の第２の導体１２ａ，１２ｂからなる一つのコンデンサ導体１５と、前記インダクタ導体１４の両端部１６ａ，１６ｂに接続された第１、第２の引出電極１７，１８と、前記コンデンサ導体１５の一端部１９ａに接続された第３の引出電極２０とを備えている。そして前記複数の絶縁体層１３は、それぞれ同一面に前記第１の導体１１ａと第２の導体１２ａ、あるいは第１の導体１１ｂと第２の導体１２ｂを備え、かつ前記コンデンサ導体１５を形成する第２の導体１２ａ，１２ｂはそれぞれインダクタ導体１４を形成する第１の導体１１ａ，１１ｂに沿うように第１の導体１１ａ，１１ｂの線間に形成している。
【００１４】
前記第１の導体１１ａ，１１ｂは、渦巻き状に銀等の導電材料をめっきすることにより形成され、２枚の絶縁体層１３の上面にそれぞれ一つずつ設けられている。そして、下方の絶縁体層１３の上面に設けられた第１の導体１１ａの渦巻きの中心部２１ａと、上方の絶縁体層１３の上面に設けられた第１の導体１１ｂの渦巻きの中心部２１ｂとが、絶縁体層１３に設けられたバイア電極２２ａを介して接続され、一つのインダクタ導体１４を形成している。
【００１５】
ここで、下方に位置する第１の導体１１ａの両端部は、渦巻きの中心部２１ａとインダクタ導体１４の一端部１６ａとなる。また、上方に位置する第１の導体１１ｂの両端部は、渦巻きの中心部２１ｂとインダクタ導体１４の他端部１６ｂとなる。
【００１６】
前記第２の導体１２ａ，１２ｂは、渦巻き状に銀等の導電材料をめっきすることにより形成され、２枚の絶縁体層１３の上面にそれぞれ一つ設けられている。そして、下方の絶縁体層１３の上面に設けられた第２の導体１２ａの渦巻きの中心部２３ａと、上方の絶縁体層１３の上面に設けられた第２の導体１２ｂの渦巻きの中心部２３ｂとが、バイア電極２２ｂを介して接続され、一つのコンデンサ導体１５を形成している。
【００１７】
ここで、下方に位置する第２の導体１２ａの両端部は、渦巻きの中心部２３ａとコンデンサ導体１５の一端部１９ａとなる。また、上方に位置する第２の導体１２ｂの両端部は、渦巻きの中心部２３ｂとコンデンサ導体１５の他端部１９ｂとなる。
【００１８】
そして、前記下方の絶縁体層１３は同一面においてコンデンサ導体１５を形成する第２の導体１２ａを第１の導体１１ａに沿うように第１の導体１１ａの線間に形成している。同様に、前記上方の絶縁体層１３も同一面においてコンデンサ導体１５を形成する第２の導体１２ｂを第１の導体１１ｂに沿うように第１の導体１１ｂの線間に形成している。このような構成とすることにより、第１の導体１１ａ，１１ｂと第２の導体１２ａ，１２ｂとの間に静電容量が発生し、コンデンサ部が構成される。
【００１９】
前記２枚の絶縁体層１３は、ＢａＴｉＯ3やＴｉＯ2などの誘電材料、またはＮｉ−Ｃｕ−Ｚｎ−Ｃｏ系フェライトなどの磁性材料によりシート状に構成され、絶縁性を有している。そして、上方の絶縁体層１３には２つのバイア電極２２ａ，２２ｂが、下方の絶縁体層１３にはバイア電極２２ｃがそれぞれ設けられている。なお、絶縁体層１３の枚数は上下の１枚ずつの計２枚である必要は無く、複数であれば他の枚数であってもよい。
【００２０】
上記構成において、絶縁体層１３として誘電材料を用いた場合、誘電材料が高誘電率を示すものであれば、発生する容量が大きくなるため、低い周波数帯域で減衰をさせることができる。一方、誘電材料が低誘電率を示すものであれば、発生する容量が小さくなるため、高い周波数帯域で減衰をさせることができる。なお、この場合、誘電体のペーストを、下方の絶縁体層１３と第１、第２の導体１１ａ，１２ａとの間や上方の絶縁体層１３と第１、第２の導体１１ｂ，１２ｂとの間に設けるようにしてもよい。
【００２１】
また、絶縁体層１３として磁性材料を用いた場合、磁性材料の透磁率によりインダクタンス値を調整することができるとともに、磁性材料が持つ比誘電率（１０〜１５）を利用することにより、容量を得ることができる。
【００２２】
前記インダクタ導体１４は、第１の導体１１ａ，１１ｂからなり、インダクタ部を構成する。また、インダクタ導体１４の両端部１６ａ，１６ｂは、それぞれ第１、第２の引出電極１７，１８に接続されている。
【００２３】
前記コンデンサ導体１５は、第２の導体１２ａ，１２ｂからなり、前記第１の導体１１ａ，１１ｂ、すなわちインダクタ導体１４とでコンデンサ部を構成する。また、このコンデンサ導体１５の一端部１９ａは下方の絶縁体層１３に設けられたバイア電極２２ｃを介して第３の引出電極２０に接続されている。一方、このコンデンサ導体１５の他端部１９ｂは電気的に接続される対象は無い。従って、コンデンサ導体１５はその一端部１９ａを介してしか外部に引出されず、この外部に引出された部分はグランドに接続される。
【００２４】
すなわち、外部からの信号はインダクタ導体１４のみに流入するが、インダクタ導体１４とコンデンサ導体１５との間の静電容量により、コンデンサ導体１５にも電流が流れ、そしてコンデンサ導体１５に入った電流はグランドに落される。
【００２５】
なお、コンデンサ導体１５は断続することなく連続した一つの導体であるため、絶縁体層１３の同一面に複数の第２の導体１２ａ，１２ｂを設ける必要は無く、さらに第３の引出電極２０は一つで済むため、生産性、コストの面で有利である。
【００２６】
前記第１の引出電極１７は、下方の絶縁体層１３の上面に設けられ、前記第１の導体１１ａの一端部１６ａと接続されている。そしてこの第１の引出電極１７は、銀等の導電材料をめっきしたり、印刷する等の方法によって形成する。
【００２７】
前記第２の引出電極１８は、上方の絶縁体層１３の上面に設けられ、前記第１の導体１１ｂの他端部１６ｂと接続されている。そしてこの第２の引出電極１８も、前記第１の引出電極１７と同様、銀等の導電材料をめっきしたり、印刷する等の方法によって形成する。
【００２８】
なお、前記第１、第２の引出電極１７，１８は、第１の導体１１ａ，１１ｂと同じ材料でかつ同時に形成するのが、生産性の上で好ましい。
【００２９】
前記第３の引出電極２０は、下方の絶縁体層１３の下面に設けられ、バイア電極２２ｃとコンデンサ導体１５の一端部１９ａを介して第２の導体１２ａに接続されている。そして、この第３の引出電極２０は、２方向に分かれて外部に引出されている。またこの第３の引出電極２０は、銀等の導電材料をめっきしたり、印刷する等の方法によって形成する。
【００３０】
また、前記第３の引出電極２０の下面および上方の第１、第２の導体１１ｂ，１２ｂの上面には、ダミー絶縁体層２５がそれぞれ３枚設けられている。この場合、ダミー絶縁体層２５は、必ずしも図１のように３枚に限られるものではない。そしてまた、ダミー絶縁体層２５の材料は絶縁性を有するものであれば何でもよいが、絶縁体層１３と同じ材料を用いれば、全ての絶縁体層を同一材料で形成できるため、層間剥離やクラックの発生を抑えることができる。
【００３１】
なお、前記第３の引出電極２０は、第１、第２の導体１１ａ，１２ａが設けられた下方の絶縁体層１３の上面に設けても構わないが、下方の絶縁体層１３の下面、すなわち下方の絶縁体層１３とは異なる別個のダミー絶縁体層２５の上面に設けるようにする方が好ましい。なぜならば、このようにした方が、第１、第２の導体１１ａ，１２ａにより第３の引出電極２０の形成位置が制限されることがなくなるため、第３の引出電極２０を形成し易くなるからである。この場合、第３の引出電極２０と、下方の絶縁体層１３を介して対向する第１の導体１１ａとの間でさらに静電容量を発生させることができる。
【００３２】
そして、前記第１の導体１１ａ，１１ｂ、第２の導体１２ａ，１２ｂ、絶縁体層１３、ダミー絶縁体層２５を上述した構成で積層することにより、図２に示すような積層物２６が得られる。この積層物２６の両端部には、インダクタ導体１４の両端部１６ａ，１６ｂに接続された第１、第２の引出電極１７，１８が引出され、かつ積層物２６の両側部にはコンデンサ導体１５の一端部１９ａと接続された第３の引出電極２０が引出されている。また、積層物２６の両端面には、第１、第２の引出電極１７，１８と接続された第１、第２の外部電極２７，２８が設けられ、かつ積層物２６の両側面には、前記第３の引出電極２０と接続された第３の外部電極２９が設けられている。なお、第３の外部電極２９は、積層物２６の両側面と上下面の４面にわたって一体的に設けてもよい。
【００３３】
以下、前記第１の導体１１ａ，１１ｂおよび第２の導体１２ａ，１２ｂについて、より詳細に説明する。
【００３４】
上方の絶縁体層１３を介して上下方向に隣接する第１の導体１１ａ，１１ｂと第２の導体１２ａ，１２ｂは、上面視にて重なるようにする。このような構成とすることにより、インダクタ導体１４とコンデンサ導体１５との間の静電容量を、下方の絶縁体層１３の同一面に設けた第１の導体１１ａと第２の導体１２ａとの間、および上方の絶縁体層１３の同一面に設けた第１の導体１１ｂと第２の導体１２ｂとの間だけでなく、上方の絶縁体層１３を介して上下方向に設けられた第１の導体１１ａ，１１ｂと第２の導体１２ａ，１２ｂとの間においても発生させることができるため、より広い周波数帯域でノイズを除去することができる。
【００３５】
なお、前記第１の導体１１ａ，１１ｂ、第２の導体１２ａ，１２ｂはめっきに限らず、印刷、蒸着等の他の方法を用いて形成してもよいが、めっきで形成すると、第１の導体１１ａ，１１ｂ、第２の導体１２ａ，１２ｂの形状を自由に設定することが容易であるため、導体の幅を広くしたり、導体の厚みを厚くすることにより、インダクタンス値や静電容量を容易に調整することができる。さらに、印刷等の方法と比べて第１の導体１１ａ，１１ｂ、第２の導体１２ａ，１２ｂの厚みを厚くできるため、第１の導体１１ａ，１１ｂと第２の導体１２ａ，１２ｂとの対向面積を大きくすることができ、これにより、コンデンサ部の静電容量をより大きくすることができる。従って、第１の導体１１ａ，１１ｂ、第２の導体１２ａ，１２ｂの形成方法としては、めっきを用いる方が好ましい。
【００３６】
また、第１の導体１１ａ，１１ｂ、第２の導体１２ａ，１２ｂをめっきで形成する場合、第１の導体１１ａ，１１ｂ、第２の導体１２ａ，１２ｂを直接絶縁体層１３に形成せずに、絶縁体層１３としてグリーンシートを用い、かつこのグリーンシートからなる絶縁体層１３に第１の導体１１ａ，１１ｂ、第２の導体１２ａ，１２ｂを転写するようにすれば、絶縁体層１３は柔らかいグリーンシートであるため、絶縁体層１３に転写したとき、第１の導体１１ａ，１１ｂ、第２の導体１２ａ，１２ｂを絶縁体層１３にめり込ませることができ、これにより、第１の導体１１ａ，１１ｂと第２の導体１２ａ，１２ｂとの間に絶縁体層１３を介在させることができる。この結果、インダクタ導体１４とコンデンサ導体１５の短絡を防止できる。そしてまた、第１の導体１１ａ，１１ｂと第２の導体１２ａ，１２ｂとの間には絶縁体層１３が介在するため、絶縁体層１３に溝を設け、この溝に第１の導体１１ａ，１１ｂ、第２の導体１２ａ，１２ｂを設けたり、短絡防止用のシールド用の導体等を別途設けたりする必要はなくなり、これにより、生産性も向上させることができる。
【００３７】
以下、本発明の実施の形態１におけるノイズフィルタの製造方法について説明する。
【００３８】
図１、図２において、まず、それぞれの原材料である誘電材料や磁性材料の粉体および樹脂からなる混合物により、方形の絶縁体層１３、ダミー絶縁体層２５をそれぞれ所定枚数作製する。このとき、絶縁体層１３、ダミー絶縁体層２５はすぐには焼成せず、グリーンシートの状態にしておく。
【００３９】
次に、１枚の絶縁体層１３の１ヶ所、および別の１枚の絶縁体層１３の２ヶ所に、レーザ、パンチングなどで孔あけ加工をし、この孔に銀を充填して、バイア電極２２ａ〜２２ｃを設ける。
【００４０】
次に、所定枚数のダミー絶縁体層２５を積層し、最上部の上面に第３の引出電極２０を印刷、めっき等によって形成する。
【００４１】
次に、第３の引出電極２０の上面に、１ヶ所にバイア電極２２ｃが設けられた１枚の絶縁体層１３を配置する。
【００４２】
次に、この絶縁体層１３の上面に、インダクタ導体１４を構成する渦巻き状の第１の導体１１ａと、コンデンサ導体１５を構成する渦巻き状の第２の導体１２ａを、めっきによって形成する。
【００４３】
この場合、第２の導体１２ａの他端部であるコンデンサ導体１５の一端部１９ａが、バイア電極２２ｃを介して第３の引出電極２０と接続されるようにする。また、第１の導体１１ａの他端部であるインダクタ導体１４の一端部１６ａと接続されるように絶縁体層１３に第１の引出電極１７を形成する。さらに、前記第２の導体１２ａは第１の導体１１ａに沿うように、第１の導体１１ａの線間に形成する。
【００４４】
次に、第１の導体１１ａ、第２の導体１２ａの上面に、２ヶ所にバイア電極２２ａ，２２ｂが設けられた１枚の絶縁体層１３を配置する。
【００４５】
次に、この上方の絶縁体層１３の上面に、インダクタ導体１４を構成する渦巻き状の第１の導体１１ｂと、コンデンサ導体１５を構成する渦巻き状の第２の導体１２ｂを、めっきによって形成する。
【００４６】
この場合、下方の絶縁体層１３の上面に設けられた第１の導体１１ａの渦巻きの中心部２１ａと、上方の絶縁体層１３の上面に設けられた第１の導体１１ｂの渦巻きの中心部２１ｂとが、バイア電極２２ａを介して接続されるようにして一つのインダクタ導体１４を形成する。これと同様に、下方の絶縁体層１３の上面に設けられた第２の導体１２ａの渦巻きの中心部２３ａと、上方の絶縁体層１３の上面に設けられた第２の導体１２ｂの渦巻きの中心部２３ｂとが、バイア電極２２ｂを介して接続されるようにして一つのコンデンサ導体１５を形成する。また、インダクタ導体１４の他端部１６ｂと接続するように上方の絶縁体層１３に第２の引出電極１８を形成する。さらに、前記第２の導体１２ｂは第１の導体１１ｂに沿うように、第１の導体１１ｂの線間に形成する。
【００４７】
なお、前記第１の導体１１ａ，１１ｂ、第２の導体１２ａ，１２ｂの形成方法は、別途用意したベース板（図示せず）に所定パターン形状の導体をめっきによって形成し、その後、この導体をグリーンシート状態の絶縁体層１３に転写する。
【００４８】
次に、第１の導体１１ｂ、第２の導体１２ｂの上面に、所定枚数のダミー絶縁体層２５を積層し、積層物２６を得る。
【００４９】
なお、上記製造工程において、製造上の効率を向上させるために、絶縁体層１３、ダミー絶縁体層２５に第１の導体１１ａ，１１ｂ、第２の導体１２ａ，１２ｂをそれぞれ複数設けた後、各個片に切断するようにして、同時に複数の積層物２６を得るようにしてもよい。
【００５０】
次に、積層物２６を所定の温度、時間で焼成する。
【００５１】
次に、積層物２６の両端面に、第１、第２の引出電極１７，１８と接続されるように第１、第２の外部電極２７，２８を、両側面に第３の引出電極２０と接続されるように第３の外部電極２９を、それぞれ銀を印刷することによって形成する。
【００５２】
最後に、第１〜第３の外部電極２７〜２９の表面にめっきによってニッケルめっきを、さらにニッケルめっきの表面にめっきによってすずやはんだなどの低融点金属めっきをそれぞれ形成する。
【００５３】
上記した本発明の実施の形態１においては、２個の渦巻き状の第１の導体１１ａ，１１ｂと、２個の渦巻き状の第２の導体１２ａ，１２ｂと、前記第１の導体１１ａ，１１ｂと第２の導体１２ａ，１２ｂを備えた２枚の絶縁体層１３と、前記２個の第１の導体１１ａ，１１ｂからなる一つのインダクタ導体１４と、前記２個の第２の導体１２ａ，１２ｂからなる一つのコンデンサ導体１５と、前記インダクタ導体１４の両端部１６ａ，１６ｂに接続された第１、第２の引出電極１７，１８と、前記コンデンサ導体１５の一端部１９ａに接続された第３の引出電極２０とを備え、前記２枚の絶縁体層１３は、下方の絶縁体層１３が第１の導体１１ａと第２の導体１２ａを同一面に形成し、かつ上方の絶縁体層１３が第１の導体１１ｂと第２の導体１２ｂを同一面に形成し、そしてこの２枚の絶縁体層１３は、第２の導体１２ａを第１の導体１１ａに沿うように第１の導体１１ａの線間に形成するとともに、第２の導体１２ｂを第１の導体１１ｂに沿うように第１の導体１１ｂの線間に形成しているため、インダクタ導体１４を形成する第１の導体１１ａ，１１ｂの大部分の横にコンデンサ導体１５を形成する第２の導体１２ａ，１２ｂは位置することになり、そしてこの配置関係は、第１の導体１１ａと第２の導体１２ａ、第１の導体１１ｂと第２の導体１２ｂという具合に複数形成されているため、第１の導体１１ａ，１１ｂと第２の導体１２ａ，１２ｂとの対向面積を大きくすることができ、これにより、第１の導体１１ａ，１１ｂと第２の導体１２ａ，１２ｂは静電容量で容量結合し、これらの線間の静電容量を分布定数的に得ることができるとともに、静電容量も大きくできるため、広い周波数帯域でノイズを減衰させ、除去することができる。
【００５４】
なお、上記本発明の実施の形態１におけるノイズフィルタにおいては、第１の導体１１ａ，１１ｂ、第２の導体１２ａ，１２ｂをそれぞれ２個設けているが、複数であれば他の個数でもよい。この場合、３個以上設けるようにすれば、インダクタ導体１４とコンデンサ導体１５との間の静電容量をより大きくすることができる。
【００５５】
また、第１の導体１１ａ，１１ｂが設けられた下方および上方の絶縁体層１３には必ず第２の導体１２ａ，１２ｂを設けているが、第１の導体１１ａ，１１ｂのみ、あるいは第２の導体１２ａ，１２ｂのみが形成された他の絶縁体層１３を別途設けてもよい。この場合、第１の導体１１ａ，１１ｂのみが形成された別個の絶縁体層１３を設ければ、インダクタ部のインダクタンス値を大きくすることができる。
【００５６】
そしてまた、第３の引出電極２０は、図１に示すように２方向に分かれて外部に引出すようにしているが、１方向に引出しても構わない。
【００５７】
さらに、２枚の絶縁体層１３は、それぞれ同一面に、第１の導体１１ａと第２の導体１２ａのみ、あるいは第１の導体１１ｂと第２の導体１２ｂのみを設けているが、さらに同一面に前記第１の導体１１ａ，１１ｂを介して第２の導体１２ａ，１２ｂと対向するように、あるいは第２の導体１２ａ，１２ｂを介して第１の導体１１ａ，１１ｂと対向するように渦巻き状の第３の導体を設けるようにしてもよい。
【００５８】
さらにまた、下方の絶縁体層１３には第１の導体１１ａと第２の導体１２ａの両方を設けているが、第１の導体１１ａと第２の導体１２ａの両方が設けられた下方の絶縁体層１３と、第２の導体１２ａのみが設けられた他の絶縁体層１３とを交互に積層してもよい。
【００５９】
また、上記本発明の実施の形態１とは別個の例として、図３に示すように、ダミー絶縁体層２５に設けられた第３の引出電極２０の面積を絶縁体層１３の面積と略同一とすれば、第３の引出電極２０と、第１の導体１１ａ，１１ｂとの間においても静電容量が発生するため、これらの間においても静電容量を発生させることができる。この場合、略同一としたのは、第３の引出電極２０は、外部に引出す部分以外は、外部に露出させてはならないし、他の電極を同一ダミー絶縁体層２５に設けるときは、この他の電極と導通しないようにする必要があり、全く同一にはできないときがあるからである。そしてまた、第３の引出電極２０の面積を絶縁体層１３の面積と略同一とすれば、絶縁体層１３の面積を最大限大きくできるため、第３の引出電極２０と第１の導体１１ａ，１１ｂとを確実に対向させることができ、これにより、発生する静電容量も多くすることができる。
【００６０】
さらに、上記本発明の実施の形態１とは別個の例として、図４に示すように、第３の引出電極２０を、インダクタ導体１４を形成する第１の導体１１ａと対向してダミー絶縁体層２５に形成するとともに、渦巻き状の形状にすれば、インダクタ導体１４とコンデンサ導体１５との間の静電容量を、絶縁体層１３の同一面に設けられた第１の導体１１ａと第２の導体１２ａの間だけでなく、第１の導体１１ａと第３の引出電極２０との間においても浮遊容量を発生させることができるため、広い周波数帯域でノイズを除去することができる。
【００６１】
なお、図３、図４は、図面を簡略化するため、第３の引出電極２０とダミー絶縁体層２５のみを示している。
【００６２】
（実施の形態２）
以下、実施の形態２を用いて、本発明の他の例について説明する。
【００６３】
図５は本発明の実施の形態２におけるノイズフィルタの分解斜視図である。なお、上記本発明の実施の形態１の構成と同様の構成を有するものについては、同一符号を付しその説明は省略する。
【００６４】
図５において、本発明の実施の形態２が本発明の実施の形態１と相違する点は、本発明の実施の形態１がインダクタ導体１４を形成する第１の導体１１ａとコンデンサ導体１５を形成する第２の導体１２ａとを下方の絶縁体層１３の同一面に設けているのに対し、本発明の実施の形態２は、第１の導体１１ａと第２の導体１２ａとが上方の絶縁体層１３を挟んで対向するように、第１の導体１１ａを上方の絶縁体層１３の上面に設けるとともに、第２の導体１２ａを下方の絶縁体層１３の上面に設けた点である。
【００６５】
この場合、第１の導体１１ａの渦巻きの中心部２１ａはバイア電極２２ａを介して第２の引出電極１８に接続し、かつ第２の導体１２ａの一端部であるコンデンサ導体１５の一端部１９ａは、バイア電極２２ｂを介して第３の引出電極２０に接続する。なお、前記第２の引出電極１８は最上方の絶縁体層１３の上面に、第３の引出電極２０は最下方の絶縁体層１３の下面にそれぞれ形成する。
【００６６】
このような構成にすることによって、絶縁体層１３を挟んでインダクタ導体１４を形成する第１の導体１１ａの大部分と対向する部分に、コンデンサ導体１５を形成する第２の導体１２ａを設けることができるため、第１の導体１１ａと第２の導体１２ａの線間に発生する静電容量を分布定数的に大きくすることができ、これにより、広い周波数帯域でノイズを除去することができるという効果が得られる。
【００６７】
なお、上記本発明の実施の形態２におけるノイズフィルタにおいては、絶縁体層１３を挟んで対向するように形成された第１の導体１１ａと第２の導体１２ａはそれぞれ一個としたが、第１の導体１１ａ、第２の導体１２ａをそれぞれ複数個設けてもよい。
【００６８】
（実施の形態３）
以下、実施の形態３を用いて、本発明の他の例について説明する。
【００６９】
図６は本発明の実施の形態３におけるノイズフィルタの分解斜視図である。なお、上記本発明の実施の形態１の構成と同様の構成を有するものについては、同一符号を付しその説明は省略する。
【００７０】
図６において、本発明の実施の形態３が本発明の実施の形態１と相違する点は、本発明の実施の形態１が第１の導体１１ａ，１１ｂと第２の導体１２ａ，１２ｂの両方を同一面に備えた絶縁体層１３を複数設けているのに対し、本発明の実施の形態３は、第１の導体１１ａと第２の導体１２ａの両方を同一面に備えた絶縁体層１３を一つにした点である。
【００７１】
この場合、第１の導体１１ａの渦巻きの中心部２１ａはバイア電極２２ａを介して第２の引出電極１８に接続し、かつ第２の導体１２ａの一端部であるコンデンサ導体１５の一端部１９ａは、バイア電極２２ｂを介して第３の引出電極２０に接続する。なお、図６においては第２の引出電極１８は第３の引出電極２０と共に、絶縁体層１３の下面に形成しているが、上方のダミー絶縁体層２５に形成してもよい。
【００７２】
このような構成にすることによって、インダクタ導体１４を形成する第１の導体１１ａの大部分の横にコンデンサ導体１５を形成する第２の導体１２ａが位置することになるため、第１の導体１１ａと第２の導体１２ａの線間の静電容量を分布定数的に得ることができ、これにより、広い周波数帯域でノイズを除去することができるという効果が得られる。
【００７３】
なお、上記本発明の実施の形態１〜３におけるノイズフィルタにおいては、第３の引出電極２０を絶縁体層１３の下面、すなわち下方のダミー絶縁体層２５の上面に設けているが、上方のダミー絶縁体層２５、あるいは上方の絶縁体層１３の上面に設けるようにしてもよい。
【００７４】
また、インダクタ導体１４、コンデンサ導体１５は一つとしたが、これらを複数設けてアレイタイプのノイズフィルタとしてもよく、一方、ノイズフィルタとして機能しないインダクタ導体、コンデンサ導体を、同一パッケージ内に設けてもよい。
【産業上の利用可能性】
【００７５】
本発明に係るノイズフィルタは、広い周波数帯域でノイズを除去することができ、携帯電話、情報機器等のノイズ対策が必要な電子機器等に有用である。
【図面の簡単な説明】
【００７６】
【図１】本発明の実施の形態１におけるノイズフィルタの分解斜視図
【図２】同ノイズフィルタの斜視図
【図３】同ノイズフィルタの他の例を示す主要部の斜視図
【図４】同ノイズフィルタの他の例を示す主要部の斜視図
【図５】本発明の実施の形態２におけるノイズフィルタを示す分解斜視図
【図６】本発明の実施の形態３におけるノイズフィルタを示す分解斜視図
【図７】従来のノイズフィルタを示す分解斜視図
【符号の説明】
【００７７】
１１ａ，１１ｂ  第１の導体
１２ａ，１２ｂ  第２の導体
１３  絶縁体層
１４  インダクタ導体
１５  コンデンサ導体
１７  第１の引出電極
１８  第２の引出電極
２０  第３の引出電極
【図１】
0004622231.tif 000002
【図２】
0004622231.tif 000003
【図３】
0004622231.tif 000004
【図４】
0004622231.tif 000005
【図５】
0004622231.tif 000006
【図６】
0004622231.tif 000007
【図７】
0004622231.tif 000008